(57)【特許請求の範囲】
【請求項１】
ばねと、押圧板と、電源部若しくはチューナと、を有する取付部材と、
表示画面を有する本体と、から構成され、
前記本体と、前記取付部材は、ほぼ直行する２本の軸を各々の中心軸として互いに回動可能に連結されると共に、電気的に接続されており、
前記本体の裏面の上端部に取付穴が設けられ、
前記取付穴が前記取付部材に設けられた突起部に着脱自在であることを特徴とする電子機器。
【請求項２】
１次電池、２次電池、ＡＣアダプタの何れかを内蔵する前記電源部をそれぞれ備える取付部材が、複数種類用意されていること、を特徴とする請求項１記載の電子機器。
【発明の詳細な説明】
【０００１】
【発明の属する技術分野】
本発明は、電子機器の取付装置に関するものである。
【０００２】
【従来の技術】
電子機器の取付においては、例えば車載型液晶テレビを自動車内に設置する場合には、座席を固定している取付部にフレキシブルアームを取り付けて、このフレキシブルアームに液晶テレビを取り付ける方法や、両面テープを用いてダッシュボードに液晶テレビを貼付けて固定する方法があった。また、例えばベッドに液晶テレビを取り付ける場合には、照明用のアームのような形状の取付部材を用いて液晶テレビを固定していた。
すなわち、従来の電子機器の取付装置は、単に電子機器の固定のみを目的とした取付部材を用いていた。
また、一般に、携帯用の電子機器の電源部としては、乾電池、充電池あるいはＡＣアダプターが用いられているが、これらの電源部は携帯用の電子機器の構造の中で比較的大きな容積を必要とする。そこで、電子機器の本体を小型化、軽量化するため、電子機器の本体から電源部を分離して設置する方法があった。例えば、車載型液晶テレビにおいては、表示画面を含む本体部分から電源部およびチューナー部を分離して、これらをチューナーボックスに内蔵して設置する方法があった。
【０００３】
【発明が解決しようとする課題】
しかし、従来のような電子機器の取付装置においては、電子機器本体の重量に対して取付部材は比較的軽量であるため、電子機器の重量が増すにつれて取付部材を堅固なものにする必要があった。そのため取付部材の形状が大きくなってしまい、電子機器を使用する際に取付部材が邪魔になるという問題があった。また、電子機器と取付部材を強固に固定するために、取付部材の設置や電子機器の本体を取り付ける作業が面倒であった。
また、電子機器の本体から回路部、例えば電源部を分離すると、電子機器の本体の設置場所の他に電源部の設置場所を用意する必要があった。また、例えば自動車内に車載型液晶テレビを設置すると、チューナーボックスが邪魔になるといった問題があった。これらの問題を避けるために、電源部やチューナーボックスを、電子機器の本体から離れた空きスペースに設置すると、電子機器の本体と電源部やチューナーボックスを結ぶ配線が長くなるので設置作業が煩雑になっていた。さらに、電子機器を取り付けた後も、電子機器の本体と電源部やチューナーボックスを結ぶ配線が邪魔になっていた。
【０００４】
本発明の課題は、電子機器において、本体を小型化するとともに、小さいスペースで容易に設置できるようにすることである。
【０００５】
【課題を解決するための手段】
以上の課題を解決すべく請求項１記載の発明は、ばねと、押圧板と、電源部若しくはチューナと、を有する取付部材と、表示画面を有する本体と、から構成され、前記本体と、前記取付部材は、ほぼ直行する２本の軸を各々の中心軸として互いに回動可能に連結されると共に、電気的に接続されており、前記本体の裏面の上端部に取付穴が設けられ、前記取付穴が前記取付部材に設けられた突起部に着脱自在であることを特徴とする電子機器である。
【０００６】
ここで、取付部材としては、クリップのような形状のものが挙げられる。
【０００７】
この電子機器の本体と取付部材が、ほぼ垂直に交わる２本の軸を各々の中心軸としてそれぞれ回動可能に連結されているので、電子機器の本体と取付部材との連結部分を蝶番状に開閉したり、ねじるように回動させることができる。これによって、電子機器の本体に対して平行あるいは垂直な柱、壁等様々な場所に電子機器を取り付けて使用することができる。また、平面上に電子機器を設置することもできる。
【０００８】
例えば、電子機器の本体と取付部材の形状が長方形の平板状であるときには、電子機器の本体と取付部材を、長方形の一辺を揃えるように重ねて、この一辺に平行な軸を中心に蝶番状に回動する回転部と、重ねられた電子機器の本体と取付部材の平面に垂直な軸を中心に回動する回転部を、連結部分に備える構成とする。まず、蝶番状に回動する回転部において、電子機器の本体と取付部材が山型をなすように開いて平面に置くと、側面を山型に保ったまま安定するので、平面上でも電子機器を設置することが可能である。また、さらにもう一方の回転部において取付部材を９０°回転させると、水平面に垂直な柱に電子機器を取り付けることができる。
【０００９】
以上のように、電子機器の本体と、電源部若しくはチューナを有する取付部材は、回動可能に連結されると共に、電気的に接合される。従って、取付部材に電源部若しくはチューナの重量がかかるため、取付部材を特に堅固なものにしなくても電子機器の本体の荷重を支えることが可能である。従って、電子機器の本体を小型化し、電子機器を小さいスペースで設置することが可能である。また、取付部材の取付は容易である。
【００１０】
そして、本体と取付部材は着脱自在であるので、取付部材を交換することで、電源部若しくはチューナを容易に交換することができる。具体的には、例えば電子機器の本体と取付部材が連結する部分において、電子機器の本体側と取付部材側に、電子機器の本体内の回路に接続している接点と、電源部若しくはチューナに内蔵された回路に接続された接点をそれぞれ備える。電子機器の本体と取付部材が連結された状態で互いの接点が当接する構成とすれば、電子機器の本体と取付部材との連結部分を着脱することで、電子機器の本体内の表示画面と電源部若しくはチューナに内蔵された回路との接点を接続または分離することができる。また、電源部若しくはチューナから電子機器の本体への配線の接続作業は、電子機器の本体と電源部若しくはチューナを着脱する際に行うだけで良いので、電子機器の本体や電源部若しくはチューナを設置する作業は容易である。そして、この配線は非常に短いので邪魔になることがない。
このように、取付部材に電源部若しくはチューナが内蔵されているので、取付部材を着脱し、交換することで電源部若しくはチューナを交換することができる。例えば、取付部材に電源部が内蔵されている場合、電池消耗などの場合には、取付部材を外して新しい電池を内蔵した取付部材に交換すれば、容易に電池の交換を行うことができる。
【００１１】
さらに、請求項２記載の電子機器において、１次電池、２次電池、ＡＣアダプターのいずれかを内蔵する前記電源部をそれぞれ備える前記取付部材が、複数種類用意されている構成、を特徴としている。
【００１２】
このように、請求項２記載の発明によれば、取付部材は複数種類用意されていて、それぞれ１次電池、２次電池、ＡＣアダプターのいずれかを使用する電源部を内蔵しているので、取付部材を交換することで、使用する電源の種類を切り換えることができる。
【００１５】
具体的には、例えば室内においてはＡＣアダプターを内蔵した取付部材を電子機器の本体に連結して家庭用電源を利用する。また、屋外に出るときや自動車内で使用する場合には、取付部材を、１次電池あるいは２次電池を内蔵した取付部材に交換すれば自由に移動することができる。
【００２１】
【発明の実施の形態】
以下に、本発明に係る電子機器の取付装置の実施の形態例を図１から図６に基づいて説明する。
まず、図１は本発明を適用した電子機器の取付装置の一例としての液晶テレビの取付装置１を示すもので、主要部品の構成を示した概略斜視図である。
また、図２において、（ａ）はクリップ３（取付部材）の平面図であり、（ｂ）はクリップ３（取付部材）の側面図であり、図３において（ａ）は電源部３１の正面図であり、（ｂ）は電子機器の一例としての液晶テレビの本体２の背面図である。
そして、図４から図６は、本発明の電子機器の取付装置の取付例として、液晶テレビの取付装置１を棚板１０、支柱１１、机の天板１２に取り付けた状態を示す側面図である。
【００２２】
これらの図１から図６において、１は液晶テレビ（電子機器）の取付装置、２は液晶テレビ（電子機器）の本体である。液晶テレビの本体２には表示画面の他、チューナー部等が内蔵されている。３はクリップ（取付部材）である。クリップ３において、３１は電源部、３２は押圧板、３３は板ばね、６は回転部である。４、５は共に回転部である。７は突起部であり、突起部７において、７１は爪、７２は接点、７３は突起基部である。８は取付穴であり、取付穴８において、８１は凹欠部、８２は接点、８３ａ，８３ｂは切欠部である。また、１０は棚板、１１は支柱、１２は机の天板である。
【００２３】
この液晶テレビの取付装置１は、図１に示すように、電子機器としての液晶テレビの本体２と取付部材としてのクリップ３とで構成される。これらの液晶テレビの本体２とクリップ３は、後述するように、クリップ３に設けられた突起部７を液晶テレビの本体２に設けられた取付穴８にはめ込むことによって連結される。
【００２４】
このクリップ３は、電源部３１と押圧板３２で物を挟む構成となっており、電源部３１および押圧板３２の形状は長方形の平板状である。電源部３１には、図１および図２（ｂ）に示すように、円柱状の回転部６が電源部３１の幅方向に横架され、この回転部６を介して押圧板３２が電源部３１に取り付けられている。回転部６の上方には、断面Ｕ字型に曲げられた板ばね３３が、回転部６に沿って横架されている。この板ばね３３が反発することによって、押圧板３２の上端は電源部３１から離れる方向に移動するとともに、押圧板３２の中央部分が回転軸６によって係着されているため、押圧板３２の下端が電源部３１に圧着されるので、クリップ３は物を挟むことができる。
【００２５】
さらに電源部３１には、図１および図２に示すように、押圧板３２が設けられていない面の上端の辺に沿って円柱状の回転部５が横架されている。回転部５の長手方向中央には、回転部５の側面と円盤状の回転部４の底面が連結され、これらの回転部４および回転部５は、その底面、上端面がいずれも円であり、この円の円周方向に回動可能になっている。また、回転部４の上端面には突起部７が設けられている。
【００２６】
この突起部７は、突起基部７３、爪７１，７１、接点７２，７２から構成される。即ち、突起基部７３は円柱状の部材であり、底面および上端面は円であって、この底面は回転部４の上端面に連結されている。突起基部７３の上端面の円周上には、この上端面の径方向に伸びる２つの爪７１，７１が設けられ、爪７１，７１は、突起基部７３の上端面の円の中心について対称な位置に１つずつ設けられている。これらの爪７１，７１は平板状の部材であり、一面は電源部３１の方向を向いていて、その反対の面には、図３（ａ）に示すように接点７２，７２が各々の爪に１つずつ設けられている。接点７２，７２は図示しない導線を介して、電源部３１に内蔵された電源部に接続されている。
【００２７】
一方、液晶テレビの本体２は、表面に表示画面を備えている長方形の平板状部材である。この液晶テレビの本体２には、図３（ｂ）に示すように、表示画面の裏面の上端部に取付穴８が設けられている。この取付穴８は、丸穴８４と、切欠部８３ａ，８３ｂと、凹欠部８１，８１と、接点８２，８２から構成される。即ち、丸穴８４の周上に２つの切欠部８３ａ，８３ｂが設けられ、切欠部８３ａ，８３ｂの位置は丸穴８４の中心について対称であり、切欠部８３ａ，８３ｂのうち一方の切欠部８３ａは丸穴の中心よりも高い位置に設けられ、他方の切欠部８３ｂは丸穴の中心より下方に設けられている。
さらに、切欠部８３ａ，８３ｂの内壁には、液晶テレビの本体２の外側からは見えない凹欠部８１，８１が設けられている。２つの凹欠部８１，８１のうち一方は切欠部８３ａから下方に伸び、他方は切欠部８３ｂから上方に伸びる。つまり、２つの凹欠部８１，８１は丸穴８４の中心と同じ高さ位置にある。
【００２８】
凹欠部８１，８１内には、接点８２，８２が設けられている。これらの接点８２，８２は、図示しない回路を介して、液晶テレビの本体２に内蔵された各電子機器に接続されており、接点８２，８２を通じて液晶テレビの本体２に電力を供給することができる。
取付穴８は上記のように構成され、図３に示したように、取付穴８を正面から見た形状は、突起部７を正面から見た形状に対応している。
【００２９】
以上の液晶テレビの取付装置１において、液晶テレビの本体２とクリップ３は次のような操作によって連結される。
まず、クリップ３に設けられた突起部７を回転部４において回転させ、爪７１，７１と切欠部８３ａ，８３ｂの位置を合わせて、突起部７と取付穴８を正対させる。突起部７を取付穴８に差し込み、爪７１，７１の位置を凹欠部８１，８１の位置に合わせる。このとき回転部４において、突起部７を、図３の（ｂ）に向かって左回りの方向に回転させ、爪７１，７１を凹欠部８１，８１内にはめ込む。以上の操作によって突起部７と取付穴８は固定され、連結は完了する。
なお、突起部７と取付穴８が固定された状態では、爪７１，７１に設けられた接点７２，７２と、凹欠部８１，８１内に設けられた接点８２，８２が当接するので、電源部３１に内蔵された電源と液晶テレビの本体２内部の回路が接続され、電源部３１から液晶テレビの本体２に電力を供給することができる。
【００３０】
なお、液晶テレビの本体２とクリップ３を分離させる場合には、回転部４において、突起部７を、液晶テレビの本体２とクリップ３を連結したときの逆方向、即ち図３（ｂ）において右回りの方向に回転させて爪７１，７１を凹欠部８１，８１からはずし、突起部７を取付穴８から引き抜けば良い。
【００３１】
次に、図４から図６において、本発明に係る電子機器の取付装置の取付例として、液晶テレビの取付装置１を棚板１０、支柱１１および机の天板１２に取り付けた状態を示す。
図４は、棚板１０に液晶テレビの取付装置１を取り付けた状態を示す側面図である。なお同図において棚板１０は水平であり、液晶テレビの本体２に設けられた表示画面は、棚板１０に対して垂直である。
この図４に示した取付方法は、次のような手順で行われる。
液晶テレビの本体２と電源部３１は回転部５を介して連結されているので、蝶番を開閉するように回動して、液晶テレビの本体２と電源部３１のなす角を任意に設定することができる。液晶テレビの本体２と電源部３１のなす角を直角にした状態で、クリップ３によって棚板１０をはさんで固定すれば、図４に示したように、液晶テレビの取付装置１を棚板１０に取り付けることができる。
【００３２】
図５は、床面に対して垂直に立設された支柱１１に、液晶テレビの取付装置１を取り付けた状態を示す側面図である。なお、同図において液晶テレビの本体２に設けられた表示画面は床面に対して垂直である。
この図５に示した取付方法は次のような手順で行われる。
まず、液晶テレビの本体２と電源部３１を回転部５において回転させ、液晶テレビの本体２と電源部３１のなす角を直角とする。次に電源部３１を回転部４において９０°回転させると、クリップ３の、電源部３１と押圧板３２が圧接する部分が支柱１１に沿った形になる。ここでクリップ３で支柱１１をはさむことにより、図５に示したように液晶テレビの取付装置１を支柱１１に取り付けることができる。
【００３３】
図６は、机の天板１２上に液晶テレビの取付装置１を設置した例の側面図である。なお、同図において机の天板１２は水平であり、液晶テレビの本体２に設けられた表示画面は、机の天板１２上において斜め上方を向いている。
この図６に示した取付方法は次のような手順で行われる。
液晶テレビの本体２と電源部３１を回転部５において回転させ、液晶テレビの本体２と電源部３１が山型を描くようにする。そのまま液晶テレビの本体２と電源部３１の下端が机の天板１２に接するように設置すると、平面上に液晶テレビの本体２を設置して使用することができる。
【００３４】
以上の実施の形態としての液晶テレビの取付装置１においては、クリップ３には電源部３１が一体となって内蔵されていたが、例えばチューナー部や、その他の部材をクリップ３に内蔵する構成とすることも可能である。
また、前記電源部から前記電子機器の本体に電力を供給するための電流回路の接続手段として、接点７２，７２および接点８２，８２を備えたので、電流回路の全ての部分をクリップ３と液晶テレビの本体２に内蔵する構成としたが、例えば被覆線やコネクタ等の電流回路の一部を電源部と電子機器の本体の外側に備えて接続するような構成としても良い。
【００３５】
なお、以上の実施の形態例においては、電子機器を液晶テレビとしたが、本発明はこれに限定されるものではない。
また、実施の形態例では、取付部材をクリップ状の形状としたが、本発明はこれに限定されるものではない。
さらに、電子機器の本体の構成や取付部材の材質等も任意であり、その他、具体的な細部構造等についても適宜に変更可能であることは勿論である。
【００３６】
【発明の効果】
以上のように、請求項１記載の発明に係る電子機器によれば、ばねと押圧板と電源部若しくはチューナとを有する取付部材と、表示画面を有する本体とから構成され、前記本体と前記取付部材は、ほぼ直行する２本の軸を各々の中心軸として互いに回動可能に連結されると共に電気的に接続されており、前記本体の裏面の上端部に取付穴が設けられ、前記取付穴が前記取付部材に設けられた突起部に着脱自在であることとした。このため、取付部材を特に強固なものにしなくても電子機器の本体の荷重を支えることが可能である。また、電子機器の本体や取付部材を容易に取り付けることができる。さらに、電源部若しくはチューナの設置場所を新たに用意する必要がないので電源部若しくはチューナが邪魔にならず、電源部若しくはチューナから電子機器の本体への配線も邪魔にならないといった利点が得られる。
【００３７】
そして、電子機器の本体と取付部材を電気的に接続自在にしたので、取付部材を交換することで電源部若しくはチューナを容易に交換することができるといった利点が得られる。
【００３８】
また、電子機器の本体と取付部材は、ほぼ垂直に交わる２本の軸を各々の中心軸としてそれぞれ回動可能に連結されているので、電子機器の本体と取付部材との連結部分を蝶番状に開閉したり、ねじるように回転させることができる。このため、平面上や、電子機器の本体に対して平行あるいは垂直な柱、壁等様々な場所に電子機器を取り付けて使用できるといった利点が得られる。
【００３９】
また、前記取付部材は、前記電子機器の電源部を備えるので、取付部材を交換することで電源部を容易に交換することができるといった利点が得られる。
【００４０】
さらに、請求項２記載の発明に係る電子機器によれば、取付部材が複数種類用意されていて、それぞれ１次電池、２次電池、ＡＣアダプターのいずれかを使用する電源部を内蔵しているので、取付部材を交換することで使用する電源の種類を切り換えることができるといった利点が得られる。
【図面の簡単な説明】
【図１】本発明を適用した電子機器の一例としての液晶テレビの取付装置の概略斜視図である。
【図２】（ａ）は図１のクリップ（取付部材）の平面図である。
（ｂ）は図１のクリップ（取付部材）の側面図である。
【図３】（ａ）は図１の電源部の正面図である。
（ｂ）は図１の液晶テレビ（電子機器）の本体の背面図である。
【図４】棚板に図１の液晶テレビの取付装置を取り付けた状態を示す側面図である。
【図５】床面に対して垂直に立設された支柱に、図１の液晶テレビの取付装置を取り付けた状態を示す側面図である。
【図６】机の天板上に図１の液晶テレビの取付装置を設置した状態を示す側面図である。
【符号の説明】
２          液晶テレビ（電子機器）の本体
３          クリップ（取付部材）
４，５，６  回転部
７          突起部
８          取付穴
３１        電源部
【図１】
0003692707.tif 000002
【図２】
0003692707.tif 000003
【図３】
0003692707.tif 000004
【図４】
0003692707.tif 000005
【図５】
0003692707.tif 000006
【図６】
0003692707.tif 000007